【手続補正書】
【提出日】平成18年12月6日(2006.12.6)
【手続補正１】
【補正対象書類名】明細書
【補正対象項目名】全文
【補正方法】変更
【補正の内容】
【書類名】明細書
【発明の名称】把手部付き包装袋及びその前駆体
【特許請求の範囲】
【請求項１】上端部に把手部を有する包装袋において、該把手部は５〜４０ｍｍの間隔を置いた２つの指通し穴から形成され、各指通し穴は、該包装袋の横方向平面に対して外側に向けて１０〜３０度の角度で上方に傾斜し、その長さが１０〜４０ｍｍの直線縁部を有することを特徴とする把手部付き包装袋。
【請求項２】該指通し穴の直線縁部は非切抜縁部に形成され、それ以外の縁部は切抜縁部に形成され、該切抜きされた部分の包装材料切抜片は該直線非切抜縁部と連結している請求項１に記載の把手部付き包装袋。
【請求項３】該指通し穴の直線縁部及びそれ以外の縁部がいずれも切抜縁部に形成されている請求項１に記載の把手部付き包装袋。
【請求項４】該包装袋の材質が、プラスチック、不織布、布又は紙である請求項１〜３のいずれかに記載の把手付き包装袋。
【請求項５】該２つの指通し穴の間隔の中間点が、該包装袋の重心位置の真上に位置する請求項１〜４のいずれかに記載の把手部付き包装袋。
【請求項６】該包装袋の把手部が、包装材料の積層接着により補強されている請求項１〜５のいずれかに記載の把手部付き包装袋。
【請求項７】請求項１〜６のいずれかに記載の把手部付き包装袋の前駆体であって、該指通し穴が未完成に形成されていることを特徴とする把手部付き包装袋前駆体。
【請求項８】請求項２に記載の把手部付き包装袋の前駆体であって、該切抜縁部に相当する線状切抜部分の少なくとも１個所が未切抜部に形成されていることを特徴とする把手部付き包装袋前駆体。
【請求項９】請求項３に記載の把手部付き包装袋の前駆体であって、該切抜縁部に相当する線状切抜き部分の少なくとも１個所が未切抜部に形成されていることを特徴とする把手部付き包装袋前駆体。
【請求項１０】該包装袋内に品物を収納包装してなる請求項１〜６のいずれかに記載の把手部付き包装袋。
【発明の詳細な説明】
【０００１】
【発明の属する技術分野】
本発明は、持運びに便利な把手部付き包装袋及びその前駆体に関するものである。
【０００２】
【従来の技術】
トイレットロールやキッチンロール、本等の各種の品物を一度に多数持運ぶ場合においては、その持運びに便利なように、把手部の付いた包装袋が用いられている。
従来一般に用いられている包装袋における把手部は、５本の指を一度に挿通できる大きな１つ穴を有するものである（実開昭５０−３２３２３号公報、実開昭６２−８７０３８号公報等）。
このような１つ穴の付いた包装袋は、持ちやすいものの、薄厚のフィルムから作製した袋の場合には、袋がその穴の部分から切れる心配がある。また、袋がその穴の部分から切れないように、２つの穴を付けてこの２つの穴に指を挿通して品物の入った包装袋を持運ぶと、この場合には、その荷重が指にかかるため、指が痛くなる。
【０００３】
【発明が解決しようとする課題】
本発明は、把手部の付いた包装袋において、把手部からの切れの心配がなく、持ちやすくかつ持運びの際に指の痛みのないものを提供することをその課題とする。
【０００４】
【課題を解決するための手段】
本発明者らは、前記課題を解決すべく鋭意検討を重ねた結果、本発明を完成するに至った。
即ち、本発明によれば、以下に示す把手部付き包装袋及びその前駆体が提供される。
（１）上端部に把手部を有する包装袋において、該把手部は５〜４０ｍｍの間隔を置いた２つの指通し穴から形成され、各指通し穴は、該包装袋の横方向平面に対して外側に向けて１０〜３０度の角度で上方に傾斜し、その長さが１０〜４０ｍｍの直線縁部を有することを特徴とする把手部付き包装袋。
（２）該指通し穴の直線縁部は非切抜縁部に形成され、それ以外の縁部は切抜縁部に形成され、該切抜きされた部分の包装材料切抜片は該直線非切抜縁部と連結している前記（１）に記載の把手部付き包装袋。
（３）該指通し穴の直線縁部及びそれ以外の縁部がいずれも切抜縁部に形成されている前記（１）に記載の把手部付き包装袋。
（４）該包装袋の材質が、プラスチック、不織布、布又は紙である前記（１）〜（３）のいずれかに記載の把手付き包装袋。
（５）該２つの指通し穴の間隔の中間点が、該包装袋の重心位置の真上に位置する前記（１）〜（４）のいずれかに記載の把手部付き包装袋。
（６）該包装袋の把手部が、包装材料の積層接着により補強されている請求項１〜５のいずれかに記載の把手部付き包装袋。
（７）前記（１）〜（６）のいずれかに記載の把手部付き包装袋の前駆体であって、該指通し穴が未完成に形成されていること特徴とする把手部付き包装袋前駆体。
（８）前記（２）に記載の把手部付き包装袋の前駆体であって、該切抜縁部に相当する線状切抜部分の少なくとも１個所が未切抜部に形成されていることを特徴とする把手部付き包装袋前駆体。
（９）前記（３）に記載の把手部付き包装袋の前駆体であって、該切抜縁部に相当する線状切抜き部分の少なくとも１個所が未切抜部に形成されていることを特徴とする把手部付き包装袋前駆体。
（１０）該包装袋内に品物を収納包装してなる請求項１〜６のいずれかに記載の把手部付き包装袋。
【０００５】
【発明の実施の形態】
本発明の把手部付き包装袋において、その材質は、プラスチックフィルム、不織布、紙等であることができる。この袋の大きさは、通常、横幅の長さが１０〜６０ｃｍ、特に２０〜３５ｃｍ程度であり、包装袋を手に持った状態で、把手部を含めた縦幅の長さが２０〜７０ｃｍ、特に３５〜６２ｃｍ程度である。その厚さは２０〜１００μｍ、特に２５〜４０μｍ程度である。
包装袋は、その上端側から品物を装入する構造のものでもよいし、その下端側から品物を装入する構造のものであってもよい。さらに、その包装袋は、その側端はシール部（接合部）を有していてもよいし、シール部を有さないものであってもよい。側端にシール部を有する袋は２枚のシート（フィルム）を用いて製造される。側端にシール部を有さない袋は、１つの円筒状シート（フィルム）を用いて製造される。
【０００６】
次に本発明の包装袋について図面を参照しながら詳述する。
図１は、包装袋の上端部に形成する２つの指通し穴の配置説明図を示す。
図１において、Ａ、Ｂは指通し穴、Ａ1、Ｂ1は指通し穴の切抜縁部、Ａ2、Ｂ2は指通し穴の非切抜縁部、Ｘ、Ｙは切抜きによって形成された包装材料切抜片、Ｌ1〜Ｌ13はシール部、Ｓ1〜Ｓ6は空気穴を示す。
【０００７】
本発明においては、指通し穴Ａ、Ｂは、切抜縁部Ａ1、Ｂ1と、非切抜縁部Ａ2、Ｂ2を有する。切抜縁部Ａ1、Ｂ1は、包装袋に穴を開ける際に、切刃による切断により形成された穴の縁部である。一方、非切抜縁部Ａ2、Ｂ2は、切刃による切断がなされていない穴の縁部である。
前記のような切抜縁部Ａ1、Ｂ1と非切抜縁部Ａ2、Ｂ2を有する指通し穴Ａ、Ｂは、その非切抜縁部Ａ2、Ｂ2は切抜されておらず、この部分には、切抜縁部Ａ1、Ｂ1に対応する切抜線に沿った切抜きにより形成された包装材料切抜片Ｘ、Ｙが連結している。この切抜片Ｘ、Ｙは、その直線状非切抜縁部Ａ2、Ｂ2を支線として折曲げることができ、この切抜片Ｘ、Ｙを上方に折曲げたときには、切抜縁部Ａ1、Ｂ1と非切抜縁部Ａ2、Ｂ2を有する指通し穴Ａ、Ｂが形成される。そして、この穴においては、その非切抜縁部Ａ2、Ｂ2は、切抜縁部Ａ1、Ｂ1の両末端間を結ぶ直線状の縁部となる。
【０００８】
本発明においては、前記直線状の非切抜縁部Ａ2、Ｂ2は、その包装袋の横方向平面に対して外側に向けて１０〜３０度の角度で上方に傾斜していることを特徴とする。即ち、図１において、非切抜縁部Ａ2の横方向平面Ｈに対する角度（線ｆの横方向平面Ｈに対する角度）αは、１０〜３０度、好ましくは１０〜２０度である。また、非切抜縁部Ｂ2の横方向平面Ｈに対する角度（線ｇの横方向平面Ｈに対する角度）βは、１０〜３０度、好ましくは１０〜２０度である。
直線状非切抜縁部Ａ2、Ｂ2の長さａ1、ｂ1は、１０〜４０ｍｍ、好ましくは１５〜２５ｍｍである。２つの指通し穴Ａ、Ｂの間隔ｅは、５〜４０ｍｍ、好ましくは１８〜２２ｍｍである。図１において、ａ2、ｂ2の長さは、ａ1、ｂ1と角度α、βによって決まる長さである。
【０００９】
本発明における指通し穴Ａ、Ｂの大きさは２〜３本の指が通る大きさであれば良く、その横方向の長さｃ1、ｃ2は２０〜５０ｍｍ、好ましくは２５〜４０ｍｍ程度である。その縦方向の長さｄ1、ｄ2は、１０〜３０ｍｍ、好ましくは１５〜２５ｍｍである。指通し穴Ａ、Ｂの先端と包装袋の先端との距離ｄ5、ｄ6は２０〜５０ｍｍ、好ましくは２５〜４０ｍｍである。
【００１０】
前記指通し穴Ａ、Ｂにおいて、その直線状の非切抜縁部Ａ2、Ｂ2は、その外側方向に１０〜３０度の角度で上方に傾斜するように形成されていることから、本発明の包装袋に品物を入れて持運ぶ際に、その指通し穴Ａ、Ｂに指を通したときに、その指腹がその直線状非切抜縁部Ａ2、Ｂ2に対向密着する。その結果、穴に挿通した指に荷重が均一化されてかかるようになるので、指が痛くなることが防止される。また、この指通し穴Ａ、Ｂの場合、その直線状非切抜縁部Ａ2、Ｂ2には、穴の切抜きに際して生成した包装材料切抜片Ｘ、Ｙが連結し、直線状非切抜縁部Ａ2、Ｂ2は、その切抜片Ｘ、Ｙを折曲げて穴を形成したときに形成されるものであるから、その直線状非切抜縁部Ａ2、Ｂ2の先端厚さは大きくかつ丸味を帯びたものとなる。従って、この直線状非切抜縁部Ａ2、Ｂ2に指をかけても、その指が切れたり、痛むようなことはない。
【００１１】
前記指通し穴Ａ、Ｂの間隔ｅは、５〜４０ｍｍの範囲に設定したことから、指を開いたときの指と指との間の間隔に近いことから、各穴に対して、非常に安定的に指通しをすることができる。
本発明の指通し穴Ａ、Ｂは、その直線状非切抜縁部Ａ2、Ｂ2の長さａ1、ｂ1を、１０〜４０ｍｍに設定したことから、各穴Ａ、Ｂは、これを２〜３本の指腹で握ることが容易である。
【００１２】
前記指通し穴Ａ、Ｂにおいて、その穴の形状は、任意であり、図１に示した形状の他、その直線状非切抜縁部を１つの辺として含む各種の形状、例えば、長方形状、半円孤状や多角形状等であることができる。
【００１３】
本発明において把手部に形成する指通し穴Ａ、Ｂは、その寸法も含めて対称形であることが好ましいが、本発明の本質を阻害しない限り、非対称であってもよい。
【００１４】
本発明の把手部付き包装袋は、品物を底部から装入し、包装する構造のものであることができる。品物を装入後の包装袋の底部は、ヒートシール等の熱融着法や、折曲げて粘着テープで固定する方法、底部の両側端部を結び合わせる方法等の各種の方法で閉鎖して、品物の落下を防止する。
このような包装袋においては、その把手部は、あらかじめヒートシール法や接着剤を用いる方法等により、閉鎖しておくのが好ましい。
その１例を図１に示す。この図において、Ｌ1〜Ｌ13はヒートシール部（接着部）を示し、包装袋は、このヒートシール部において接着している。Ｓ1〜Ｓ6は空気孔を示し、これらの空気孔は、包装袋を折りたたむ場合、その内部の空気を外部へ逃げやすくするためのものである。また、ヒートシール部は、その包装袋の開口を防ぐための作用の他、その把手部の補強効果を示す。
前記ヒートシール部Ｌ1〜Ｌ13において、ヒートシール部Ｌ2、Ｌ3、Ｌ8〜Ｌ13は省略することができ、Ｌ1、Ｌ4〜Ｌ7のみであってもよい。
【００１５】
本発明の把手部付き包装袋において、その直線状非切抜縁部Ａ2、Ｂ2は、これを切抜縁部にすることもできる。この場合には、その指通穴に対応する形状の包装材料片が切抜かれ、除去され、穴の周縁の全てが切抜縁部となる。
本発明の把手部付き包装袋は、品物を上端部から装入し、包装する構造のものであることができる。品物を入れた後の上端開口部は、これを粘着テープや、マジックテープなどの仮固着手段によって固着して、持運びの容易なものとするのがよい。もちろん、包装袋の上端部は、特別の固着手段を設けずに、単に重ねるだけのものでもよい。
【００１６】
本発明の把手部着き包装袋において、その把手部を補強するために、その指通し穴Ａ、Ｂの上方及び／又は下方の包装袋の表面及び／又は下面に、横方向にわたって、合成樹脂フィルム等の包装材料を積層接着させることができる。好ましくは、その指通し穴Ａ、Ｂを含む面に、フィルム状包装材料を積層接着させることができる。この場合、その補強材として用いる包装材料は、その指通し穴に対応する部分には、その指通し穴Ａ、Ｂと同形状の穴又はそれより大きい穴を開口して、指通し穴Ａ、Ｂに対する円滑な指通しを阻害しないようにする。
包装袋の表面に対する補強材としての包装材料の積層接着は、ヒートシール法や接着剤を用いる方法等により行うことができる。また、その接着は全面接着でもよいし、部分接着でもよい。
【００１７】
本発明の把手部付き包装袋は、その指通し穴を未完成なものとした前駆体とすることができる。
この把手部付き包装袋前駆体において、未完成の指通し穴とは、その指通し穴を、その切抜線（切抜縁部に対応する線）に沿って完全には切抜かずに、その少なくとも１箇所が未切抜部の状態で残っていることを意味する。従って、この未切抜部を切断すると、所定の指通し穴が形成される。このような未完成の指通し穴は、例えば、切抜縁部に対応する切抜線に沿ってミシン目を入れることにより形成し得る他、その切抜線の１〜５個所、好ましくは１〜２個所を未切抜部として残すこと等によって形成することができる。
【００１８】
このような指通し穴が未完成状態で形成されている把手部付き包装袋前駆体において、その袋が直線状非切抜縁部Ａ2、Ｂ2を含む場合には、その指通し穴における未完成切抜部を切断して完全切抜部とすることにより、所望の把手部付き包装袋とすることができる。この場合には、その切抜き部分の包装材料切抜片は、その未切抜縁部に連結している。
【００１９】
一方、非切抜縁部を含まずに、その指通し穴の縁部の全てが切抜縁部に形成されている指通し穴を有する把手部付き包装袋の前駆体の場合、その未完成指通し穴における切抜縁部に含まれる未切抜部を完全切抜部にして指通し穴とすることにより、把手部付き包装袋とすることができる。この場合には、その切抜き部分の包装材料切抜片は、その包装袋から除去される。
【００２０】
次に本発明の包装袋前駆体の１例について図面を参照しながら説明する。
図２は本発明による包装袋前駆体の正面図を示す。
図３は、その斜視図を示す。
図４は、図２におけるＣ−Ｃ'及びＤ−Ｄ'の部分拡大図を示す。
図５は、図４のＥ−Ｅ'断面図を示す。
図６は本発明の把手部付き包装袋の使用状態の１例についての説明図である。
図７はその把手部の指通し穴に指を通して包装袋を持った状態図である。
【００２１】
図２〜図５に示した把手部付き包装袋は、その指通し穴Ａ、Ｂは未完成に形成され、包装袋前駆体となっている。即ち、この包装袋前駆体は、その切抜縁部に相当する切抜線に沿って完全切抜きされておらず、その一部は未切抜部Ａ3（図４、図５参照）として残っている。従って、この場合の指通し穴Ａ、Ｂは、包装材料によって閉鎖された状態である。
【００２２】
しかし、この指通し穴Ａ、Ｂを閉鎖する包装材料を強く押すと、その未切抜部Ａ3が切断されて、指通し穴Ａ、Ｂが形成される。即ち、切抜縁部Ａ1、Ｂ1が形成され、直線状非切抜縁部Ａ2、Ｂ2に連結する包装材料切抜片Ｘ、Ｙが形成される。
また、この包装袋において、その把手部裏面には、合成樹脂フィルムからなる補強材Ｑ（図４、図５参照）が積層接着されている。図５において、補強材Ｑは、シール部Ｌ1、Ｌ2、Ｌ4、Ｌ8によって包装袋の裏面に接着されている。
【００２３】
前記包装袋は、１つの円筒状フィルムの両側端を円筒のほぼ中心近くまで押込んで、両側端部が４枚のフィルムより構成されるようにしたものである。図５において、１は表面を形成するフィルム、２は裏面を形成するフィルム、３、４はそれらのフィルム１、２の間に押込んだフィルムであり、５はその押込んだフィルムの内側端部を示す。
【００２４】
図２〜図５に示した把手部付き包装袋において、その直線状非切抜縁部Ａ2、Ｂ2の長さは、１６ｍｍであり、その横方向平面に対する傾斜角α、βは１０度である。包装袋を形成する包装材料（合成樹脂フィルム）の厚さは３０μｍである。また、その指通し穴の間隔は２０ｍｍである。この包装袋の横幅は２１ｃｍ、縦幅４６ｃｍである。
【００２５】
この把手部付き包装袋は、その下端部から品物を装入する構造のもので、その下端部はその品物の装入後閉鎖される。この場合の閉鎖は、ヒートシールによる閉鎖や、粘着テープによる閉鎖、対向する側下端部を結び合せること等により行うことができる。
【００２６】
図６に示した使用状態図において、１１は把手部、１３は包装袋、１２は収納されているペーパロールを示す。
【００２７】
【発明の効果】
本発明の把手部付き包装袋は、その各指通し穴が２〜３本の指が通る大きさであり、かつその穴に指を通して握ったときに、その穴の直線部が指腹に対向して密接するために、指腹による握りが容易でかつ非常に持運びの容易なものとなる。
また、２つの指通し穴の間隔を、指を開いたときの指と指との間の距離に近くすることにより、指通しもしやすくかつ持運ぶときに安定感にすぐれたものとなる。
【図面の簡単な説明】
【図１】
本発明の把手部付き包装袋の把手部の説明図である。
【図２】
本発明による包装袋前駆体の１例についての正面図を示す。
【図３】
図２に示した包装袋前駆体のその斜視図を示す。
【図４】
図２におけるＣ−Ｃ'及びＤ−Ｄ'の部分拡大図を示す。
【図５】
図４のＥ−Ｅ'断面図を示す。
【図６】
本発明の把手部付き包装袋の使用状態の説明図である。
【図７】
本発明の把手部付き包装袋の把手部の指通し穴に指を通して包装袋を持った状
態図である。
【符号の説明】
Ａ、Ｂ…指通し穴、Ａ1、Ｂ1…穴の切抜縁部、Ａ2、Ｂ2…穴の非切抜縁部、Ｌ1〜Ｌ13…ヒートシール部、Ｓ1〜Ｓ6…風通し孔。